(57)【要約】【課題】  オゾンガスを利用して簡単にうがい水を作ることのできるうがい水供給システムを提案すること。【解決手段】  水１６を入れたうがい用コップ２を、固定台３のコップ装着部１２に装着し、オゾンガス供給装置４からオゾンガスを供給すると、うがい用コップ２の底に形成してあるオゾンガス導入部７からうがい用コップ２内にオゾンガスが導入される。うがい用コップ２内の水１６はオゾンガスによって殺菌され、常に新鮮で殺菌力に優れたうがい水１７が得られる。同時に、うがい用コップ２自体もオゾンガスにより殺菌消毒される。したがって、十分に殺菌効果のあるうがい水を、効率良く提供でき、容器も常に清潔な状態に保持できる。【選択図】    図１
2005224410.tif 000002
【特許請求の範囲】
【請求項１】
うがい水を貯留可能な容器と、
前記容器を着脱可能な状態で装着する容器装着部を備えた固定台と、
前記容器装着部にオゾンガスを供給するオゾンガス供給装置と、
前記容器の内部にオゾンガスを導入するためのオゾンガス導入部とを有し、
前記オゾンガス導入部は、前記容器における前記容器装着部に装着される部位に配置され、容器内に貯留したうがい水を通さずオゾンガスを通すうがい水供給システム。
【請求項２】
請求項１において、
前記容器を前記容器装着部に装着すると、前記容器によって前記容器装着部の内部に気密室が形成され、
前記オゾンガス供給装置から前記気密室内にオゾンガスが供給されるうがい水供給システム。
【請求項３】
請求項２において、
前記容器は、筒状胴部と、その下端を封鎖している底部とを備えており、
前記底部に前記オゾンガス導入部が配置されており、
前記容器装着部は、前記筒状胴部の輪郭形状に対応する形状の装着用開口部を備えているうがい水供給システム。
【請求項４】
請求項３において、
前記オゾンガス導入部は、前記底部に一体形成されたもの、あるいは、前記底部に開けた開口部に取り付けた別部材からなるうがい水供給システム。
【請求項５】
請求項４において、
前記オゾン導入部は多孔質素材から形成されている容器。
【請求項６】
請求項１ないし５のうちのいずれかの項に記載の前記容器。
【発明の詳細な説明】
【技術分野】
【０００１】
本発明は、オゾンガスを利用して簡単にうがい水を作ることのできるうがい水供給システムおよびそれに用いる容器に関するものである。
【背景技術】
【０００２】
従来、うがいをするための水を作る方法としては、水にうがい薬を加えて攪拌し、完全に溶解させることが一般的である。
【発明の開示】
【発明が解決しようとする課題】
【０００３】
しかしながら、うがい水を必要とするごとに、水にうがい薬を加えて混ぜ合わせるという作業を行っていると、時間がかかり、非常に作業効率が悪い。また、うがい水を大量に作り置きして使用する場合には、作り置きしたうがい水が劣化するおそれがあり、うがい水を入れるコップ等の容器を毎回殺菌消毒しなければならず、手間がかかり、作業効率が悪い。
【０００４】
以上の問題を鑑みて、本発明の課題は、オゾンガスを利用して簡単にうがい水を作ることのできるうがい水供給システムおよびそれに用いる容器を提案することにある。
【課題を解決するための手段】
【０００５】
上記課題を解決するために、本発明のうがい水供給システムは、うがい水を貯留可能な容器と、前記容器を着脱可能な状態で装着する容器装着部を備えた固定台と、前記容器装着部にオゾンガスを供給するオゾンガス供給装置と、前記容器の内部にオゾンガスを導入するためのオゾンガス導入部とを有し、前記オゾンガス導入部は、前記容器における前記容器装着部に装着される部位に配置され、容器内に貯留したうがい水を通さずオゾンガスを通すことを特徴としている。
【０００６】
ここで、前記容器を前記容器装着部に装着すると、前記容器によって前記容器装着部の内部に気密室が形成され、前記オゾンガス供給装置から前記気密室内にオゾンガスを供給することが好ましい。このように構成すると、供給されたオゾンガスを損失することなく、容器のオゾンガス導入部に導入することができる。
【０００７】
また、前記容器として、筒状胴部と、その下端を封鎖している底部とを備え、前記底部に前記オゾンガス導入部が配置された構成のものを用いることができる。この場合には、前記容器装着部は、前記筒状胴部の輪郭形状に対応する形状の装着用開口部を備えたものとすればよい。このように、容器を通常のコップと同様な形状とすれば、うがいをするのに便利である。また、容器と容器装着部とを隙間なく密着させることができるので、容器装着部内部に気密室を簡単に形成できる。
【０００８】
さらに、前記オゾンガス導入部を、前記底部に一体形成してもよいし、前記底部に開けた開口部に取り付けた別部材から構成してもよい。容器の底部に一体形成されたものは、耐久性に優れ、別部材からなるものは、容器とオゾンガス導入部をそれぞれ別に作成できるので作成作業が容易となる。
【０００９】
本発明において用いる前記オゾン導入部は、多孔質素材から形成することができる。多孔質素材を用いることで、水を通さずオゾンガスを通すオゾン導入部を簡単に形成できる。
【発明の効果】
【００１０】
本発明のうがい水供給システムでは、水道水などを入れた容器を、固定台の容器装着部に装着し、オゾンガス供給装置からオゾンガスを供給すれば、容器のオゾンガス導入部から容器内にオゾンガスが導入される。よって、容器内の水はオゾンガスによって殺菌され、常に新鮮で殺菌力に優れたうがい水が得られる。同時に、容器自体もオゾンガスにより殺菌消毒される。この後は、固定台から容器を取り外すことによりうがいを行うことができる。したがって、本発明によれば、十分に殺菌効果のあるうがい水を、効率良く提供でき、容器も常に清潔な状態に保持できる。
【発明を実施するための最良の形態】
【００１１】
以下に、図面を参照して、本発明を適用したうがい水供給システムの例を説明する。
【００１２】
（全体構成）
図１はうがい水供給システムを示す概略構成図であり、図２は当該システムに用いるうがい用コップを示す斜視図であり、図３は図１のIII−III線で切断した部分を示す概略断面図である。
【００１３】
図１に示すように、うがい水供給システム１は、うがい水を貯留可能なうがい用コップ２と、うがい用コップ２を着脱可能な状態で装着する固定台３と、オゾンガスを供給するオゾンガス供給装置４とを有している。
【００１４】
図２に示すように、うがい用コップ２は、プラスチックからなり、筒状胴部５と、その下端を封鎖している底部６とを備えた円筒型のコップ状容器である。うがい用コップ２の底部６には、うがい用コップ２の内部にオゾンガスを導入するためのオゾンガス導入部７が底部６に開けた開口部８に取り付けられている。うがい用コップ２は、紙、ガラス、陶器などで形成されてもよく、オゾンガス導入部７から導入されるオゾンガスと反応しない材質であれば、金属で形成されてもよい。また、オゾンガス導入部７が底部６に開けた開口部８に取り付けられているが、オゾンガス導入部７がうがい用コップ２の底部６に一体形成された構造であってもよい。
【００１５】
本例のオゾンガス導入部７は多孔質素材から形成されており、撥水性を持つため、うがい用コップ２内に貯留した水などの液体を通さず、オゾンガスを通す機能を有している。例えば、微細な多孔膜を形成処理したポリウレタン樹脂を織物に貼り付けて形成した膜や、微細な多孔を持つフッ素樹脂をめっき皮膜して形成した金属膜などでできており、金属、樹脂製、繊維製のものに微細孔を形成したものであってもよい。
【００１６】
次に、図１および図３に示すように、固定台３は、基板９と、この表面に搭載されたコップ支持部１０とを備えている。支持部１０の上部中央には、うがい用コップ２の筒状胴部の輪郭形状よりやや大きめの装着用凹部が形成されている。この装着用凹部の内周面には、シリコンゴムなどからなる円環状のパッキン１１が接着固定され、これにより、うがい用コップ２の筒状胴部の輪郭形状に対応する形状の装着用開口部１１ａを備えるコップ装着部１２が構成されている。
【００１７】
このように装着用開口部１１ａは円環状のパッキン１１によって規定されているので、ここに、うがい用コップ２を着脱可能な状態で装着することができ、装着状態においては、装着用開口部１１ａが実質的に気密封鎖されて、コップ装着部１２の内部に気密室１３が形成される。本例では、円筒型のコップの形状をしたうがい用コップ２としたが、コップ装着部１２に装着した状態で、気密室１３が形成される構造であれば、ボトル型のような瓶状の形状をした器等、他の形状であってもよい。
【００１８】
コップ装着部１２（気密室１３）の底面中央にはオゾンガス供給口１４ａが開口しており、このオゾンガス供給口１４ａには、支持部１０および基板９を貫通して、基板９の側面から横方に引き出されたオゾンガス供給管１４が接続されている。このオゾンガス供給管１４の他端はオゾンガス供給装置４に接続されている。よって、オゾンガス供給装置４からオゾンガス供給管１４を経由して、うがい用コップ２によって気密封鎖されたコップ装着部１２、すなわち気密室１３内に、オゾンガス(O3＋エアー)が供給される。オゾンガスは、気密室１３に満たされ、うがい用コップ２のオゾンガス導入部７からうがい用コップ２の内部に導入される。
【００１９】
基板７の上部にはスイッチ１５が設置されており、ＯＮ−ＯＦＦで切り替えて駆動装置（図示略）を制御することにより、電気配線（図示略）を通してオゾンガス供給装置４が作動するようになっている。
【００２０】
（動作の説明）
まず、うがい用コップ２に水道水などの水１６をいれ、うがい用コップ２を固定台３のコップ装着部１２に装着する。オゾンガス導入部７は水を通さないので、うがい用コップ２から水１６が漏れ出すことはない。また、うがい用コップ２によってコップ装着部１２が気密封鎖されて気密室１３が形成された状態になる。
【００２１】
次に、スイッチ１５をＯＮにすると、駆動装置（図示略）が働きオゾンガス供給装置４が作動し、供給されたオゾンガスがオゾンガス供給管１４を通り気密室１３に満たされる。充填されたオゾンガスは、うがい用コップ２の底に形成されているオゾンガス導入部７を通り、うがい用コップ２に入っている水１６の中に導入され、水１６中でオゾンガスが溶解しオゾン水１７が生成する。同時に、うがい用コップ２自体もオゾンガスにより殺菌消毒される。必要な殺菌力を持つオゾン水１７が得られた後、スイッチ１４をＯＦＦにし、うがい用コップ２を固定台３のコップ装着部１２から取り外して、オゾン水１７をうがい水として使用する。
【００２２】
本例では、スイッチ１５を設置して駆動装置（図示略）を制御したが、パッキン１１の下にスイッチを設置し、うがい用コップ２をコップ装着部１２に装着すると自動的にスイッチが入り駆動装置が作動するように構成してもよい。このようにすれば、うがい用コップ２の着脱に伴い、自動的に駆動装置が作動し、オゾン水１７が得られるので、効率がより向上する。
【００２３】
さらに、同様の仕組みで、うがい用コップ２をコップ装着部１２に装着した際に、パッキン１１が下方に押されてスイッチが入ると、うがい用コップ２の内部に一定量の水１６が供給されるようにしてもよい。このようにすれば、中身が空のうがい用コップ２を装着すると自動的に水１６が注がれるので、さらに効率良くオゾン水１７を得ることができる。
【００２４】
オゾンは塩素と比較して約６倍の殺菌能力、また塩素と比較して約３０００倍の殺菌スピードを有するので、強力な殺菌力を持つ。さらに、脱臭力、漂白力にも優れており、次亜塩素酸などの有害な残留物がなく、人体へ悪い影響を与えない。従って、オゾン水１７を上記のように生成すると、優れた殺菌力を持ち、皮膚にも害を与えない安全で高機能なうがい水を効率的に作ることが可能である。さらに、うがい水のみならず、手や指などの皮膚洗浄や、衛生器具等の洗浄などにも使用することができる。
【産業上の利用可能性】
【００２５】
本発明のうがい水供給システムでは、水道水などを入れた容器を、固定台の容器装着部に装着し、オゾンガス供給装置からオゾンガスを供給すれば、容器のオゾンガス導入部から容器内にオゾンガスが導入される。よって、容器内の水はオゾンガスによって殺菌され、常に新鮮で殺菌力に優れたうがい水が得られる。同時に、容器自体もオゾンガスにより殺菌消毒される。この後は、固定台から容器を取り外すことによりうがいを行うことができる。したがって、本発明によれば、十分に殺菌効果のあるうがい水を、効率良く提供でき、容器も常に清潔な状態に保持できる。
【図面の簡単な説明】
【００２６】
【図１】本発明の実施形態に係るうがい水供給システムを示す概略構成図である。
【図２】本発明の実施形態に係るうがい水供給システムに用いるうがい用コップを示す斜視図である。
【図３】図１のIII−III線で切断した部分を示す概略断面図である。
【符号の説明】
【００２７】
１  うがい水供給システム
２  うがい用コップ
３  固定台
４  オゾンガス供給装置
５  筒状胴部
６  底部
７  オゾンガス導入部
８  開口部
９  基板
１０  支持部
１１  パッキン
１１ａ  装着用開口部
１２  コップ装着部
１３  気密室
１４  接続管
１５  スイッチ
１６  水
１７  オゾン水
【図１】
2005224410.tif 000003
【図２】
2005224410.tif 000004
【図３】
2005224410.tif 000005